(57)【要約】【課題】ルーズフランジの端面に設けられるルーズフランジ移動用の隙間に土砂や錆等の堆積物が詰まっても、容易にルーズフランジの移動ができるルーズフランジ及びこのルーズフランジを利用したポンプ機構を提供すること。【解決手段】管本体１１の少なくとも一端部に、この端部と隙間Ｓを介して他の管（ポンプＰのケーシング）８３を連結する連結手段２０を設ける構造のルーズフランジ１０である。管本体１１の端部先端１５をくさび状に形成する。【選択図】　　　図１
2004125006.tif 000002
【特許請求の範囲】
【請求項１】
管本体の少なくとも一方の端部に、この端部と隙間を介して他の管を連結する連結手段を設けてなる構造のルーズフランジにおいて、
管本体の前記端部先端をくさび状に形成したことを特徴とするルーズフランジ。
【請求項２】
前記くさび状に形成した端部先端の面に堆積物除去用突起を設けたことを特徴とする請求項１に記載のルーズフランジ。
【請求項３】
水槽内の水を吸い上げるポンプの吐出側の管路中にルーズフランジとバルブを取り付けてなるポンプ機構において、
前記ルーズフランジとして請求項１又は２に記載のルーズフランジを用いたことを特徴とするポンプ機構。
【発明の詳細な説明】
【０００１】
【発明の属する技術分野】
本発明は、ルーズフランジ及びポンプ機構に関するものである。
【０００２】
【従来の技術】
水槽内の水を揚水するポンプ機構は、例えば図６に示すように、ポンプＰの上部に設置したポンプ駆動機構８１を駆動することでケーシング（吸込ベルから吐出ケーシングまでを含む）８３内に設置したインペラを回転し、これによって水槽９０内の水をケーシング８３で揚水してこの水を吐出側配管９５を通して所定の場所に送るように構成されている。そして従来前記ポンプ機構には、ポンプＰのケーシング８３と吐出側配管９５の間に、ルーズフランジ１００とバルブ（例えば蝶形弁）１５０とを取り付けていた。ルーズフランジ１００はバルブ１５０や吐出側配管９５等に不都合が生じた場合に、これら部品を単体で容易に取り外せるようにするためのものである。
【０００３】
図７は図６に示すルーズフランジ１００部分を示す要部概略断面図である。同図に示すようにルーズフランジ１００は、筒状の管本体１０１の一端のみにフランジ１０３を設けている。また管本体１０１の反フランジ側の端面１０５は管本体１０１の軸長方向ｌに対して垂直な面に仕上げられている。一方管本体１０１の端面１０５よりも少し中央側の外周部分にはリング状で板状の取付部１０７が設けられている。取付部１０７には下記するボルト１２１を挿通する穴１０９が設けられている。
【０００４】
そして前記フランジ１０３は前記バルブ１５０にボルト・ナット１５１，１５２によって固定され、ルーズフランジ１００の反フランジ側はポンプＰの吐出側のケーシング８３のフランジ８５に連結手段１２０によって連結・固定されている。ここで連結手段１２０は、ルーズフランジ１００をケーシング８３に対して軸長方向ｌに位置調整ができる位置調整機構を有しており、具体的にはフランジ８５と取付部１０７との間にリング状で管本体１０１の外周に挿入される二つのシール用部材１２２，１２３を介在して長尺のボルト１２１を通し、ボルト１２１に取り付けたナット１２９，１３１によってフランジ８５及びシール用部材１２２，１２３を挟持した状態で固定するように構成されている。シール用部材１２２の内周のシール用部材１２３に対向する側の端辺にはテーパー状にカットされたテーパ面１３３が形成され、このテーパ面１３３とシール用部材１２３の側面との間に形成される凹部内に弾性材製でリング状のシール部材１３７が収納され、テーパ面１３３とルーズフランジ１００の外周面間をシールしている。
【０００５】
前記連結手段１２０によってルーズフランジ１００とケーシング８３間を固定した際、図示するようにルーズフランジ１００の端面１０５とフランジ８５の端面間には、所定寸法の隙間ｓを設けるようにしている。そして例えばバルブ１５０を取り外す場合は、図８に示すように、ボルト・ナット１５１，１５２を取り外し、ボルト１２１等を操作することでルーズフランジ１００をポンプＰ側に移動してバルブ１５０とフランジ１０３との間に隙間ｑを形成し、この隙間ｑを利用してバルブ１５０を取り外す。この場合ポンプＰや吐出側配管９５は何ら移動する必要がない。
【０００６】
しかしながら図９に示すように前記隙間ｓに錆や土砂等の堆積物２００が堆積・固着して詰まっていた場合、前述のようにルーズフランジ１００を移動することができなくなり、このような場合に例えばバルブ１５０を取り外そうとすると、ポンプＰを取り外し、次にルーズフランジ１００を取り外した後にバルブ１５０を取り外すことになり、大変な労力が必要になってしまう。つまり前記隙間ｓを活用して撤去・据付けしようとする機器の交換等が不可能となり、このため他の機器まで動かす大規模な工事となり、経済的、工期的に大きな問題となる。
【０００７】
【発明が解決しようとする課題】
本発明は上述の点に鑑みてなされたものでありその目的は、例えルーズフランジの端面に設けられるルーズフランジ移動用の隙間に土砂や錆等の堆積物が詰まっても、容易にルーズフランジの移動ができるルーズフランジ及びこのルーズフランジを利用したポンプ機構を提供することにある。
【０００８】
【課題を解決するための手段】
上記問題点を解決するため本発明にかかるルーズフランジは、管本体の少なくとも一方の端部に、この端部と隙間を介して他の管を連結する連結手段を設けてなる構造のルーズフランジにおいて、管本体の前記端部先端をくさび状に形成したことを特徴とする。これによって例えルーズフランジの端部先端に設けられるルーズフランジ移動用の隙間に土砂や錆等の堆積物が詰まっていても、くさび状の端部先端によって、この堆積物を容易に隙間から除去しながらこの隙間を狭める方向にルーズフランジを移動することができる。
【０００９】
また本発明は、前記くさび状に形成した端部先端の面に堆積物除去用突起を設けたことを特徴とする。これによってさらに隙間内に堆積した前記堆積物の除去が容易になる。
【００１０】
また本発明は、水槽内の水を吸い上げるポンプの吐出側の管路中にルーズフランジとバルブを取り付けてなるポンプ機構において、ルーズフランジとして前記ルーズフランジを用いたことを特徴とする。
【００１１】
【発明の実施の形態】
以下、本発明の実施の形態を図面を参照して詳細に説明する。
図１は本発明の一実施の形態に係るルーズフランジ１０を介して前記図６に示すポンプＰとバルブ１５０間を接続した場合のルーズフランジ１０部分を示す要部概略断面図である。同図に示すようにルーズフランジ１０は、筒状の管本体１１の一端のみにフランジ１３を設けている。一方管本体１１の反フランジ側の端部先端１５はくさび状に形成されている。更に具体的に言うと、端部先端１５はその先端方向に向かって徐々にその管内径を大きくしていくテーパ面形状にすることで先細りのくさび形状に仕上げられている。
【００１２】
一方管本体１１の端部先端１５よりも少し中央側の外周部分にはリング状で板状の取付部１７が設けられている。取付部１７には下記するボルト２１を挿通する穴１９が設けられている。
【００１３】
そしてルーズフランジ１０のフランジ１３は前記バルブ１５０のフランジ１５３にボルト・ナット１５１，１５２によって固定され、ルーズフランジ１０の反フランジ側はポンプＰの吐出側のケーシング８３のフランジ８５に連結手段２０によって連結・固定されている。ここで連結手段２０は、ルーズフランジ１０をケーシング８３に対して軸線方向Ｌに位置調整ができる位置調整機構を有している。連結手段２０は具体的には管本体１１の外周にリング状の二つのシール用部材２３，２５を挿入した上で、長尺のボルト２１を取付部１７の穴１９側から二つのシール用部材２３，２５の穴２４，２６とケーシング８３のフランジ８５の穴８７に通し、ボルト２１に螺合した二つのナット２９，３１によって、フランジ８５及びシール用部材２３，２５を挟持した状態で固定するように構成されている。シール用部材２３の内周のシール用部材２５に対向する側の端辺にはテーパー状にカットされたテーパ面３３が形成され、このテーパ面３３とシール用部材２５の側面との間に形成される凹部内に弾性材製でリング状のシール部材３７が収納され、テーパ面３３とルーズフランジ１０の外周面間をシールしている。
【００１４】
そして前記連結手段２０によってルーズフランジ１０とケーシング８３間を固定した際、図示するようにルーズフランジ１０の端部先端１５とフランジ８５の端面間に所定寸法の隙間Ｓを設けている。そして例えばバルブ１５０を取り外す場合は、図２に示すように、ボルト・ナット１５１，１５２を取り外し、ボルト２１を操作することでルーズフランジ１０をポンプＰ側に移動してバルブ１５０のフランジ１５３とフランジ１３との間に隙間Ｑを形成し、この隙間Ｑを利用してバルブ１５０を取り外す。この場合ポンプＰや吐出側配管９５は何ら移動する必要がない。なお同様にして吐出側配管９５等も容易に取り外すことができる。
【００１５】
そして本実施の形態においては、図２に示すように、例え前記隙間Ｓに土砂や錆等の堆積物５０が詰まっていたとしても、ルーズフランジ１０の端部先端１５はくさび状に形成されているので、この堆積物５０を容易に隙間Ｓから追い出して除去しながらこの隙間Ｓを狭める方向にルーズフランジ１０を移動することができる。従ってバルブ１５０等の取り外しが容易に行なえる。
【００１６】
なお図１に点線Ｄで示すように、ケーシング８３の端面の内周辺をテーパ形状に形成すれば、隙間Ｓ内に堆積した堆積物５０のルーズフランジ１０の移動による除去がさらに容易になる。
【００１７】
図３は本発明の他の実施の形態にかかるルーズフランジ１０−２を示す図であり、図３（ａ）は端部先端１５−２の要部拡大断面図、図３（ｂ）は端部先端１５−２の右側面図である。また図４，図５は本発明のさらに他の実施の形態にかかるルーズフランジ１０−３，４の端部先端１５−３，４の右側面図である。図３乃至図５に示すルーズフランジ１０−２，３，４においてもその端部先端１５−２，３，４は何れも前記実施の形態と同様のくさび形状をしているが、前記実施の形態と相違する点は、端部先端１５−２，３，４の傾斜面上に堆積物除去用突起４０−２，３，４を設けた点である。堆積物除去用突起４０−２は、棒状で放射状（管本体１１の中心軸Ｌから放射状）であり、堆積物除去用突起４０−３は棒状で螺旋状であり、堆積物除去用突起４０−４はドット状の凸部を放射状（管本体１１の中心軸Ｌから放射状）に設けたものである。このように構成すれば、ルーズフランジ１０の移動の際に前記隙間Ｓ内に堆積した堆積物５０を隙間Ｓから押し出す力を強くでき、その除去がさらに容易になる。言い換えれば堆積物除去用突起４０−２，３，４は、ルーズフランジ１０の隙間Ｓを狭める方向へ移動する際に隙間Ｓ内の堆積物５０を外部に除去し易くする形状に形成するものであればどのような形状にしても良い。
【００１８】
また前記各実施の形態にかかるルーズフランジ１０，１０−２，３，４の端部先端１５，１５−２，３，４のくさび状の部分（傾斜面の部分）にワックス等の潤滑物質を塗布しておけば、更に前記隙間Ｓ内に堆積した堆積物５０の除去が容易になる。
【００１９】
図１０は本発明のさらに他の実施の形態に係るルーズフランジ１０−５を介して前記図６に示すポンプＰとバルブ１５０間を接続した場合のルーズフランジ１０−５部分を示す要部概略断面図である。この実施の形態においては、筒状の管本体１１の両端部の先端１５，１５をその先端方向に向かって徐々にその管内径を大きくしていくテーパー面形状にすることで先細りのくさび形状に形成し、前記図１に示す連結手段２０と同一構造の連結手段２０を管本体１１の両端に設け、これら連結手段２０，２０によってポンプＰの吐出側のケーシング８３のフランジ８５とバルブ１５０のフランジ１５３とにそれぞれ隙間Ｓを介して連結・固定している。このように構成すれば、ルーズフランジ１０−５を何れの方向に向かって移動する際にも、隙間Ｓに詰まった堆積物を容易に隙間Ｓから追い出して除去しながらルーズフランジ１０−５を移動することができる。
【００２０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態ではルーズフランジ１０を、ポンプ機構のポンプＰの吐出側に接続した例を示しているが、他の各種構成のポンプ機構に用いても良く、さらにポンプ機構以外の各種機構に用いても良い。要はルーズフランジを使用する各種機構であればどのような機構にも適用できる。
【００２１】
【発明の効果】
以上詳細に説明したように本発明によれば、例えルーズフランジの端面に設けられるルーズフランジ移動用の隙間に土砂や錆等の堆積物が詰まっても、容易にルーズフランジを移動することができる。つまり前記ルーズフランジ移動用の隙間を活用して撤去・据付けしようとする機器の交換等が前記隙間への堆積物によって阻害されることはなく、常に容易に行なえる。
【図面の簡単な説明】
【図１】本発明の一実施の形態に係るルーズフランジ１０を介してポンプＰとバルブ１５０間を接続した状態を示す要部概略断面図である。
【図２】ルーズフランジ１０によってバルブ１５０を取り外す状態を示す要部概略断面図である。
【図３】本発明の他の実施の形態にかかるルーズフランジ１０−２を示す図であり、図３（ａ）は端部先端１５−２の要部拡大断面図、図３（ｂ）は端部先端１５−２の右側面図である。
【図４】本発明の他の実施の形態にかかるルーズフランジ１０−３の端部先端１５−３の右側面図である。
【図５】本発明の他の実施の形態にかかるルーズフランジ１０−４の端部先端１５−４の右側面図である。
【図６】ポンプ機構の一例を示す図である。
【図７】従来のルーズフランジ１００部分を示す要部概略断面図である。
【図８】ルーズフランジ１００によってバルブ１５０を取り外す状態を示す要部概略断面図である。
【図９】ルーズフランジ１００の問題点説明図である。
【図１０】本発明の他の実施の形態に係るルーズフランジ１０−５を介してポンプＰとバルブ１５０間を接続した状態を示す要部概略断面図である。
【符号の説明】
１０　ルーズフランジ
１１　管本体
１３　フランジ
１５　端部先端
１７　取付部
２０　連結手段（位置調整機構兼用連結手段）
２１　ボルト
２３，２５　シール用部材
２９，３１　ナット
３３　テーパ面
３７　シール部材
Ｓ　隙間
５０　堆積物
Ｐ　ポンプ
８３　ケーシング（他の管）
８５　フランジ
９０　水槽
９５　吐出側配管（吐出側の管）
１５０　バルブ（他の部材）
１５１，１５２　ボルト・ナット
１０−２，３，４，５　ルーズフランジ
１５−２，３，４　端部先端
４０−２，３，４　堆積物除去用突起
【図１】
2004125006.tif 000003
【図２】
2004125006.tif 000004
【図３】
2004125006.tif 000005
【図４】
2004125006.tif 000006
【図５】
2004125006.tif 000007
【図６】
2004125006.tif 000008
【図７】
2004125006.tif 000009
【図８】
2004125006.tif 000010
【図９】
2004125006.tif 000011
【図１０】
2004125006.tif 000012